(57)【要約】【課題】空気が清浄されている状態でも汚れを検知するためにファンとセンサに通電しているため消費電力がかかる従来の空気清浄機を解決するものであり、使用環境の汚れの種類に合わせてセンサの通電を停止することで、消費電力を抑え、効率よく汚れを検知することを目的としている。【解決手段】空気中の汚れを検知し、マイコン９により検知する頻度の少ないセンサの通電を停止することで、消費電力を抑え、効率よく汚れを検知することができるための制御手段を備える空気清浄機である。【選択図】図１
2010089043.tif 000002
【特許請求の範囲】
【請求項１】
空気を吸い込む吸気口と、吸い込んだ空気を清浄する清浄手段と、この清浄手段に通風する送風手段と、空気を吹き出す排気口と、空気中のガス成分を検知するガスセンサと、空気中の粒子成分を光学的に検知するほこりセンサと、センサの検知結果に応じて汚れレベルを決定する制御部と、送風手段を汚れレベルに応じて制御する自動モードを備えた空気清浄機において、自動モードで空気が汚れていない状態では送風手段を停止し、どちらか一方のセンサの通電を停止することを特徴とする空気清浄機。
【請求項２】
空気が汚れていない状態になると、空気が清浄される直前の汚れの種類によってほこりセンサもしくはガスセンサを停止することを特徴とする請求項１に記載の空気清浄機。
【請求項３】
空気が汚れていない状態が続くと定期的に送風手段を運転させることを特徴とする請求項２に記載の空気清浄機。
【請求項４】
空気が汚れていない状態が続き定期的に送風手段を運転させるとき、通電を停止しているセンサの通電を開始することを特徴とする請求項３に記載の空気清浄機。
【請求項５】
空気が汚れていない状態が続き定期的に送風手段を運転させた時の汚れの度合いによって、定期的に送風手段を運転させるまで停止している時間が変化することを特徴とした請求項４に記載の空気清浄機。
【請求項６】
空気が汚れていない状態が続き定期的に送風手段を運転させた時の汚れの度合いによって、定期的に送風手段を運転する時間を変化することを特徴とした請求項４に記載の空気清浄機。
【請求項７】
空気が汚れていない状態が続き定期的に送風手段を運転させた時の汚れの度合いによって、定期的に送風手段を運転するときの風量を変化することを特徴とした請求項４に記載の空気清浄機。
【請求項８】
連続で同じセンサが通電停止すると、定期的に送風手段を運転させるときに連続で通電を停止したセンサを通電しないことを特徴とする請求項４に記載の空気清浄機。
【請求項９】
制御部にて一定時間内の汚れの種類を記憶し、その結果によりほこりセンサ、ガスセンサの検知結果を比較し、空気が清浄されると検知結果度合いの低いセンサの通電を停止することを特徴とする請求項１に記載の空気清浄機。
【請求項１０】
使用者がセンサの感度を選べる手段を備えたことを特徴とする請求項１に記載の空気清浄機。
【請求項１１】
使用者が通電停止するセンサを選べる手段を備えたことを特徴とする請求項１に記載の空気清浄機。
【請求項１２】
送風手段の風量や検知した結果を表示する表示部を備え、空気が汚れていない状態では表示部を消灯することを特徴とする請求項１に記載の空気清浄機。
【発明の詳細な説明】
【技術分野】
【０００１】
本発明は、室内空間に浮遊する埃や煙草などの汚染物質を含んだ汚染空気を吸い込んで清浄し、清浄後の空気を室内に吹きだす機能を備えた空気洗浄機に関する。
【背景技術】
【０００２】
従来、この種の空気清浄機は下記に記載されたものが知られている。
【０００３】
以下、その空気清浄機について図を参照しながら説明する。
【０００４】
図７に示すように空気清浄機の本体１０１には空気を吸い込む吸気口１０２と、空気を清浄するフィルター１０３と、フィルターに通風するファン１０４と、このファンを運転制御する制御部１０５と、排気口１０６と、空気のにおい汚れを検知するにおいセンサ１０７と空気中のほこり汚れを検知するほこりセンサ１０８と、表示部１０９を備え、空気が汚れていない状態になるとファン１０４を停止または最も小さい回転数にし、センサに通電している（例えば、特許文献１参照）。
【特許文献１】特開平１１‐１１４３４４号公報
【発明の開示】
【発明が解決しようとする課題】
【０００５】
このような従来の空気清浄機では、センサに通電しているため汚れを検知することはできるが、空気が汚れていない状態でも通電しているため、空気がきれいな状態では消費電力を抑えることが要求されている。
【０００６】
本発明は、このような従来の課題を解決するものであり、空気が汚れていない状態では一方のセンサの通電を停止することによって、消費電力を抑え、効率よく汚れを検知することを目的としている。
【課題を解決するための手段】
【０００７】
本発明の空気清浄機は上記目的を達成するために、空気を吸い込む吸気口と、吸い込んだ空気を清浄する清浄手段と、この清浄手段に通風する送風手段と、空気を吹き出す排気口と、空気中のガス成分を検知するガスセンサと、空気中の粒子成分を光学的に検知するほこりセンサと、センサの検知結果に応じて汚れレベルを決定する制御部と、送風手段を汚れレベルに応じて制御する自動モードを備えた空気清浄機において、自動モードで空気が汚れていない状態では送風手段を停止し、どちらか一方のセンサの通電を停止する制御手段を備えたものである。
【０００８】
この手段により、消費電力を抑え、効率よく汚れを検知する空気清浄機が得られる。
【０００９】
また、本発明の空気清浄機は上記目的を達成するために、空気が汚れていない状態になると、空気が清浄される直前の汚れ種類によってほこりセンサもしくはガスセンサを停止するものである。
【００１０】
この手段により、消費電力を抑え、効率よく汚れを検知する空気清浄機が得られる。
【００１１】
また、本発明の空気清浄機は上記目的を達成するために、空気が汚れていない状態が続くと定期的に送風手段を運転させるものである。
【００１２】
この手段により効率よく汚れを検知する空気清浄機が得られる。
【００１３】
また、本発明の空気清浄機は上記目的を達成するために、空気が汚れていない状態が続き定期的に送風手段を運転させるとき、通電を停止しているセンサの通電を開始するものである。
【００１４】
この手段により、この手段により効率よく汚れを検知する空気清浄機が得られる。
【００１５】
また、本発明の空気清浄機は上記目的を達成するために、空気が汚れていない状態が続き定期的に送風手段を運転させた時の汚れの度合いによって、定期的に送風手段を運転させるまで停止している時間が変化するものである。
【００１６】
この手段により、消費電力を抑える空気清浄機が得られる。
【００１７】
また、本発明の空気清浄機は上記目的を達成するために、空気が汚れていない状態が続き定期的に送風手段を運転させた時の汚れの度合いによって、定期的に送風手段を運転する時間を変化するものである。
【００１８】
この手段により、消費電力を抑え、効率よく汚れを検知する空気清浄機が得られる。
【００１９】
また、本発明の空気清浄機は上記目的を達成するために、空気が汚れていない状態が続き定期的に送風手段を運転させた時の汚れの度合いによって、定期的に送風手段を運転するときの風量を変化するものである。
【００２０】
この手段により、効率よく汚れを検知する空気清浄機が得られる。
【００２１】
また、本発明の空気清浄機は上記目的を達成するために、連続で同じセンサが通電停止すると、定期的に送風手段を運転させるときに連続で通電を停止したセンサを通電しないものである。
【００２２】
この手段により、消費電力を抑える空気清浄機が得られる。
【００２３】
また、本発明の空気清浄機は上記目的を達成するために、制御部にて一定時間内の汚れの種類を記憶し、その結果によりほこりセンサ、ガスセンサの検知結果を比較し、空気が清浄されると検知結果度合いの低いセンサの通電を停止するものである。
【００２４】
この手段により、消費電力を抑え、効率よく汚れを検知する空気清浄機が得られる。
【００２５】
また、本発明の空気清浄機は上記目的を達成するために、使用者がセンサの感度を選べる手段を備えたものである。
【００２６】
この手段により、使用者が必要に応じた空気の正常ができる空気清浄機が得られる。
【００２７】
また、本発明の空気清浄機は上記目的を達成するために、使用者が通電停止するセンサを選べるものである。
【００２８】
この手段により、使用者が必要に応じた空気の正常ができる空気清浄機が得られる。
【００２９】
また、本発明の空気清浄機は上記目的を達成するために、送風手段の風量や検知した結果を表示する表示部を備え、空気が汚れていない状態では表示部を消灯するものである。
【００３０】
この手段により、消費電力を抑える空気清浄機が得られる。
【発明の効果】
【００３１】
本発明によれば、空気が汚れていない状態では一方のセンサの通電を停止することによって、消費電力を抑え、効率よく汚れを検知する空気清浄機を提供できる。
【発明を実施するための最良の形態】
【００３２】
本発明の空気清浄機は上記目的を達成するために、空気を吸い込む吸気口と、吸い込んだ空気を清浄する清浄手段と、この清浄手段に通風する送風手段と、空気を吹き出す排気口と、空気中のガス成分を検知するガスセンサと、空気中の粒子成分を光学的に検知するほこりセンサと、センサの検知結果に応じて汚れレベルを決定する制御部と、送風手段を汚れレベルに応じて制御する自動モードを備え、空気が汚れていない状態ではどちらか一方のセンサを停止するという作用を有する。
【００３３】
また、空気が汚れていない状態でどちらのセンサを停止するか使用者が選択できるものであり、使用者が使用環境に応じた効率的な清浄ができるという作用を有する。
【００３４】
以下、本発明の実施の形態について図面を参照しながら説明する。
【００３５】
（実施の形態１）
図１は本発明の実施の形態における空気清浄機の構成を示す図である。図１において空気清浄機本体１に室内の空気を吸い込む、吸気口２を設け、この吸気口より吸い込まれた空気を浄化する清浄手段としてフィルター３を設け、このフィルター３に通風するための手段としてファン４を設け、清浄した空気を吹き出すための排気口５を設け、空気中のガス成分を検知する手段としてガスセンサ６を設け、空気中の粒子成分を検知する手段としてほこりセンサ７を設け、検知した結果を表示する表示部８を設け、汚れの測定結果に応答してファン４とガスセンサ６とほこりセンサ７を制御するマイコン９を設け、ファン４を汚れレベルに応じて制御する自動モード１０を設け構成する。
【００３６】
空気が汚れていない状態になるとファン４とガスセンサ６もしくは、ほこりセンサ７どちらか一方への通電を停止する。
【００３７】
図２に通電を停止するまでのマイコン制御フローチャート図を示す。
【００３８】
マイコン９にてガスセンサ６とほこりセンサ７の汚れレベルを設けており、汚れを検知すると各センサで汚れレベルを決定し清浄する。そして、空気が清浄されると、空気が汚れていない状態になる直前までに検知していたセンサに通電し、もう一方のセンサの通電を停止する。
【００３９】
例えば、汚れのレベルをガスセンサ６、ほこりセンサ７の汚れレベルをともに汚れていない状態でレベル０、最も汚れていてレベル５と設定する。自動モードで運転中にガスセンサ６が汚れを検知しレベル３になり、ほこりセンサ７も汚れを検知しレベル４になったとする。空気を清浄し、最終的にほこりセンサが先にレベル０になり、その後にガスセンサがレベル０になったとする。その場合、現状の使用環境では粒子成分よりもにおい成分が多いと判断しガスセンサの通電は続け、ほこりセンサへの通電を停止する。また、空気が汚れていない状態になると表示部８を消灯する。
【００４０】
以上のように構成する空気清浄機本体１を室内に設置し、ファン４を停止しどちらか一方のセンサを停止することで消費電力を抑え、効率良く汚れを検知できる。
【００４１】
（実施の形態２）
本実施の形態は前記実施の形態１と制御方法が異なるのみであり、同一構成のものは同一番号を付して詳しい説明は省略する。
【００４２】
図３に通電の停止所定時間を変更するまでのマイコン制御フローチャート図を示す。
【００４３】
空気が汚れていない状態、つまりファン４を停止し、一方のセンサへの通電が停止している状態が続くと、定期的にファン４を運転し、通電を停止していたセンサに通電を開始する。ファン４とセンサを停止する時間はマイコン９にて制御する。
【００４４】
例えばここでは、ファン４とセンサが停止している状態が１時間続くとファン４と通電停止していたセンサに通電し、１５分運転し、汚れを検知しなければ、ファン４とどちらか一方のセンサを停止し、汚れを検知すれば汚れの度合いに応じた運転を開始するものとする。
【００４５】
１５分の運転で汚れを検知しなかった場合は、ファンを停止し、一方のセンサへの通電を停止するが、停止時間を１時間から１時間２０分に変更する。汚れを検知した場合、空気を清浄後、ファン４とどちらか一方のセンサを停止する時間を１時間から５０分に変更する。
【００４６】
以上のように構成する空気清浄機本体１を室内に設置し、室内汚れ環境に合わせてファン４とセンサを停止することで消費電力を抑えることができる。
【００４７】
（実施の形態３）
本実施の形態は前記実施の形態１と制御方法が異なるのみであり、同一構成のものは同一番号を付して詳しい説明は省略する。
【００４８】
図４に通電する所定時間を変更するまでのマイコン制御フローチャート図を示す。
【００４９】
空気が汚れていない状態、つまりファン４を停止し、一方のセンサへの通電が停止している状態が続くと、通電を停止していたセンサに通電を開始し、ファン４を一定時間運転する。ファン４とセンサに通電する時間はマイコン９にて制御する。
【００５０】
例えばここでは、ファン４とセンサが停止している状態が１時間続くと、ファン４と通電停止していたセンサに通電し、３０分運転し、汚れを検知しなければ、ファン４とどちらか一方のセンサを停止し、汚れを検知すれば汚れの度合いに応じた運転を開始するものとする。３０分の運転にて汚れを検知しなかった場合は、１時間ファン４とどちらか一方のセンサ運転を停止し、次の運転時間を３０分か２０分に変更する。汚れを検知した場合は、空気を清浄後、１時間ファン４とどちらか一方のセンサ運転を停止し、運転時間を３０分から４０分に変更する。
【００５１】
以上のように構成する空気清浄機本体１を室内に設置し、室内汚れ環境に合わせてファン４とセンサを運転することで効率よく汚れを検知することができる。
【００５２】
（実施の形態４）
本実施の形態は前記実施の形態１と制御方法が異なるのみであり、同一構成のものは同一番号を付して詳しい説明は省略する。
【００５３】
図５にファン４の風量を変更するまでのマイコン制御フローチャート図を示す。
【００５４】
空気が汚れていない状態、つまりファン４を停止し、一方のセンサへの通電が停止している状態が続くと、通電を停止していたセンサに通電を開始し、ファン４を運転する。ファン４を運転する風量はマイコン９にて制御する。
【００５５】
例えばここでは、ファン４とセンサが停止している状態が１時間続くと、ファン４を風量２で運転し、通電停止していたセンサに通電し、３０分運転する。汚れを検知しなければ、ファン４とどちらか一方のセンサを停止し、汚れを検知すれば汚れの度合いに応じた運転を開始するものとする。ここでは風量は０〜５段階とし、最大で風量５とする。
【００５６】
３０分の運転にて汚れを検知しなかった場合は、１時間ファン４とどちらか一方のセンサ運転を停止し、風量を２から１に変更し３０分運転する。汚れを検知した場合は、空気を清浄後、１時間ファン４とどちらか一方のセンサ運転を停止し、風量を２から３に変更し３０分運転する。
【００５７】
以上のように構成する空気清浄機本体１を室内に設置し、室内汚れ環境に合わせてファン４の風量をかえることで効率よく汚れを検知することができる。
【００５８】
（実施の形態５）
本実施の形態は前記実施の形態１と制御方法が異なるのみであり、同一構成のものは同一番号を付して詳しい説明は省略する。
【００５９】
図６に記憶した汚れにより停止するセンサを変更するまでのマイコン制御フローチャート図を示す。
【００６０】
マイコン９にて一定時間の検知した汚れを記憶する。例えばここでは５時間の汚れ検知結果を記憶すると、５時間でのガスセンサ６とほこりセンサ７で検知した結果を比較し、空気中に多い汚れの種類を決定する。例えば、５時間でガスセンサはレベル５に到達する回数が７回、ほこりセンサはレベル５に到達する回数が３回とすると、マイコン９にて空気中の汚れはにおい成分が多いと判断し、空気が清浄されてセンサの通電を停止させるとき、検知結果の多いガスセンサを通電し、検知結果の少ないほこりセンサを停止する。
【００６１】
以上のように構成する空気清浄機本体１を室内に設置し、室内汚れ環境に合わせてセンサの通電を行うことで効率よく汚れを検知することができる。
【００６２】
（実施の形態６）
本実施の形態は前記実施の形態１と制御方法が異なるのみであり、同一構成のものは同一番号を付して詳しい説明は省略する。
【００６３】
マイコン９にて一定時間の検知した汚れを記憶し、通電を停止するセンサが一定回数以上同じセンサになった場合、例えばここでは１０回連続とすると、空気が清浄されほこりセンサ７が１０回連続で停止すると、通常運転中にほこりセンサの通電を停止する。
【００６４】
以上のように構成する空気清浄機本体１を室内に設置し、室内汚れ環境に合わせてセンサの通電を行うことで効率よく汚れを検知することができる。
【００６５】
（実施の形態７）
本実施の形態は前記実施の形態１と制御方法が異なるのみであり、同一構成のものは同一番号を付して詳しい説明は省略する。
【００６６】
使用者が通電を停止するセンサを選べる、センサ選択スイッチ１１を設け、空気が清浄されてセンサの通電を停止するとき、どちらのセンサの通電を停止するか使用者が選択することができる。
【００６７】
以上のように構成する空気清浄機本体１を室内に設置し、室内汚れ環境に合わせてセンサの通電を行うことで効率よく汚れを検知することができる。
【００６８】
（実施の形態８）
本実施の形態は前記実施の形態１と制御方法が異なるのみであり、同一構成のものは同一番号を付して詳しい説明は省略する。
【００６９】
使用者がセンサの感度を選べる、感度切り替えスイッチ１２を設け、センサの感度を使用者が選択することができる。
【００７０】
以上のように構成する空気清浄機本体１を室内に設置し、室内汚れ環境に合わせてセンサの通電を行うことで効率よく汚れを検知することができる。
【産業上の利用可能性】
【００７１】
本発明にかかる空気清浄機は、空気調和機でも同様の手段を用いることで、使用者が汚れの量の推移を視覚で確認できる。
【図面の簡単な説明】
【００７２】
【図１】本発明の実施の形態１の空気清浄機の構成を示す斜影図
【図２】本発明の実施の形態１のマイコン制御フローチャート
【図３】本発明の実施の形態２のマイコン制御フローチャート
【図４】本発明の実施の形態３のマイコン制御フローチャート
【図５】本発明の実施の形態４のマイコン制御フローチャート
【図６】本発明の実施の形態５のマイコン制御フローチャート
【図７】従来の空気清浄機の斜影図
【符号の説明】
【００７３】
１      空気清浄機本体
２      吸気口
３      フィルター
４      ファン
５      排気口
６      ガスセンサ
７      ほこりセンサ
８      表示部
９      マイコン
１０    自動モード
１１    センサ選択スイッチ
１０１  本体
１０２  吸気口
１０３  フィルター
１０４  ファン
１０５  制御部
１０６  排気口
１０７  においセンサ
１０８  ほこりセンサ
１０９  表示部
【図１】
2010089043.tif 000003
【図２】
2010089043.tif 000004
【図３】
2010089043.tif 000005
【図４】
2010089043.tif 000006
【図５】
2010089043.tif 000007
【図６】
2010089043.tif 000008
【図７】
2010089043.tif 000009